(57)【要約】【課題】データ記録ディスクの片面に貼着されたラベルの表示エリアを全面可能とする【解決手段】ラベル２に写真を印刷し、そのラベル２をデータ記録ディスク６の片側全面に貼着する。ラベル２は、ミシン目５を介し、センターホールに相当する丸穴部分４が抜き外し可能になっており、必要に応じてその丸穴部分４を抜き外し、或いは、抜き外さないで飾っておく。【選択図】　　図３
2004022160.tif 000002
【特許請求の範囲】
【請求項１】
センターホールを有したディスクにおける前記センターホールを含む片側全面に、絵文字などを手書き或いは印刷したラベルが貼着されており、そのラベルは、前記センターホールに対応する部分が抜き外し可能となっているデータ記録ディスク。
【請求項２】
センターホールを有したディスクにおける前記センターホールを含む片側全面に、絵文字などを手書き或いは印刷したラベルが貼着されており、そのラベルは、前記センターホールに対応する切り離された部分が伸縮性テープを貼り合わせることによって繋ぎ止めされているデータ記録ディスク。
【請求項３】
センターホールを有したディスクにおける前記センターホールを含む片側全面に、絵文字などを手書き或いは印刷したラベルが貼着されており、そのラベルには、前記センターホールの中心点に対応する部位を起点として放射方向へ少なくとも三本以上の切り込みが設けられているデータ記録ディスク。
【請求項４】
センターホールを有したディスクにおける前記センターホールを含む片側全面に、絵文字などを手書き或いは印刷したラベルが貼着されており、そのラベルには、前記センターホールの中心点に対応する部位を起点として放射方向へ少なくとも三本以上の切り込みが設けられていて、それらの切り込み部分が伸縮性テープを貼り合わせることによって繋ぎ止めされているデータ記録ディスク。
【請求項５】
絵文字などを手書き或いは印刷してデータ記録ディスクの片側全面に貼着するラベルであって、センターホールに対応する部分が抜き外し可能となっているデータ記録ディスク用ラベル。
【請求項６】
絵文字などを手書き或いは印刷してデータ記録ディスクの片側全面に貼着するラベルであって、センターホールに対応する切り離された部分が伸縮性テープを貼り合わせることによって繋ぎ止めされているデータ記録ディスク用ラベル。
【請求項７】
絵文字などを手書き或いは印刷してデータ記録ディスクの片側全面に貼着するラベルであって、ディスクのセンターホール中心点に対応する部位を起点として放射方向へ少なくとも三本以上の切り込みを設けたデータ記録ディスク用ラベル。
【請求項８】
絵文字などを手書き或いは印刷してデータ記録ディスクの片側全面に貼着するラベルであって、ディスクのセンターホール中心点に対応する部位を起点として放射方向へ少なくとも三本以上の切り込みが設けられ、それらの切り込み部分が伸縮性テープを貼り合わせることによって繋ぎ止めされているデータ記録ディスク用ラベル。
【請求項９】
伸縮性テープは、手書き或いは印刷面の裏側に予め貼り合わせられている請求項６〜８のいずれかに記載のデータ記録ディスク用ラベル。
【請求項１０】
伸縮性テープは、透明で、手書き或いは印刷後にその手書き或いは印刷された面に貼り合わせるものである請求項６〜８のいずれかに記載のデータ記録ディスク用ラベル。
【発明の詳細な説明】
【０００１】
【発明の属する技術分野】
本発明は、ディスクの片側面に、絵文字などが手書き或いは印刷されたラベルが貼着されたデータ記録ディスク、及び、絵文字などを手書き或いは印刷し、データ記録ディスクの片側全面に貼着するデータ記録ディスク用ラベルに関する。
【０００２】
【従来の技術】
データ記録ディスクには、位置決めを兼ねた保持用のセンターホールが切り抜かれており、すでにデータが記録されている読み出し専用の製品には、センターホールを除いた片側の全面に、記録内容を示す表示が印刷されている。
データ記録ディスクには、読み出し専用ばかりでなく書き込み可能な製品も存在するし、更には何度でも書き換え可能な製品の登場で、普及率は急激に加速している。
そのような書き込み或いは書き換え可能なデータ記録ディスクには、書き込み或いは書き換えたデータの内容を記載したラベルを貼着、或いは貼り換えする為のラベルが付属されている。
又、注文に応じて少数制作される製品には、特殊な加工や印刷がされたラベルもあるが、基本的にはラベルの中央にディスクのセンタホールと同じ大きさの丸孔が設けられていた。
【０００３】
【発明が解決しようとする課題】
ラベルには、既製、自作を問わず芸術的に価値の高い作品も数多く見られ、中にはインテリアとして飾っておきたい製品もある。
又、例えば名刺サイズといった標準寸法以外の変形タイプまで様々な形状のものも実用化されてもいる。
しかしながら如何に凝ったデザインであっても、中央に丸孔が切り抜かれていると価値が半減してしまうし、名刺サイズのような特殊なタイプでは、情報を表示しきれない。
特に変形タイプは販売促進用に配布される物が多く種類も多彩であることからコレクション的な楽しみもあるが、穴があっては台無しである。
そのような実情に鑑み、出願人は先に円形の切り抜き穴を無くしたラベルを提案したが、プレーヤの機種によってはラベル自体に弾力性が要求されるためコストアップを招いてしまう。
【０００４】
【課題を解決するための手段】
本発明は、センターホールを含む全面表示を可能とし、且つ、特殊な紙を使用しなくてもプレーヤにセット可能なデータ記録ディスク及びデータ記録ディスク用ラベルの技術であって、第１の発明の構成は、センターホールを有したディスクにおける前記センターホールを含む片側全面に、絵文字などを手書き或いは印刷したラベルが貼着されており、そのラベルは、前記センターホールに対応する部分が抜き外し可能となっているデータ記録ディスクにあり、第２の発明の構成は、センターホールを有したディスクにおける前記センターホールを含む片側全面に、絵文字などを手書き或いは印刷したラベルが貼着されており、そのラベルは、前記センターホールに対応する切り離された部分が伸縮性テープを貼り合わせることにより繋ぎ止めされているデータ記録ディスクにある。
【０００５】
又第３の発明は、センターホールを有したディスクにおける前記センターホールを含む片側全面に、絵文字などを手書き或いは印刷したラベルが貼着されており、そのラベルには、前記センターホールの中心点に対応する部位を起点として放射方向へ少なくとも三本以上の切り込みが設けられているデータ記録ディスクにあり、第４の発明は、センターホールを有したディスクにおける前記センターホールを含む片側全面に、絵文字などを手書き或いは印刷したラベルが貼着されており、そのラベルには、前記センターホールの中心点に対応する部位を起点として放射方向へ少なくとも三本以上の切り込みが設けられていて、それらの切り込み部分が伸縮性テープを貼り合わせることによって繋ぎ止めされているデータ記録ディスクにある。
【０００６】
更に第５の発明は、絵文字などを手書き或いは印刷してデータ記録ディスクの片側全面に貼着するラベルであって、センターホールに対応する部分が抜き外し可能となっているデータ記録ディスク用ラベルにあり、第６の発明は、絵文字などを手書き或いは印刷してデータ記録ディスクの片側全面に貼着するラベルであって、センターホールに対応する切り離された部分が伸縮性テープを貼り合わせることによって繋ぎ止めされているデータ記録ディスク用ラベルにある。
【０００７】
そして第７の発明は、絵文字などを手書き或いは印刷してデータ記録ディスクの片側全面に貼着するラベルであって、ディスクのセンターホール中心点に対応する部位を起点として放射方向へ少なくとも三本以上の切り込みを設けたデータ記録ディスク用ラベルにあり、第８の発明は、絵文字などを手書き或いは印刷してデータ記録ディスクの片側全面に貼着するラベルであって、ディスクのセンターホール中心点に対応する部位を起点として放射方向へ少なくとも三本以上の切り込みが設けられ、それらの切り込み部分が伸縮性テープを貼り合わせることによって繋ぎ止めされているデータ記録ディスク用ラベルにある。
【０００８】
前記伸縮性テープは、手書き或いは印刷面の裏側に予め貼り合わせられていたり、透明で、手書き或いは印刷後にその手書き或いは印刷された面に貼り合わせるものとすることができる。
【０００９】
【発明の実施の形態】
本発明に係るデータ記録ディスク及びその記録ディスク用ラベルを図面に基づいて説明する。
１はプリンタ用の印刷用紙であり、この印刷用紙はＡ４サイズで、標準の１２ｃｍディスクに適合した円形のラベル２，２の二枚分が分離可能となっており、プリント面の反対側にあたる面には糊が塗布されていて、その糊が塗布された面を同じＡ４サイズの剥離紙３に密着させた一枚で構成される。
【００１０】
又、各ラベル２，２には、データ記録ディスクのセンターホールに対応した丸穴部分４が、それぞれミシン目５、５により切り離し可能になっている。
このように形成された印刷用紙１に対し、例えばプリンタでラベル２，２の部分に記念写真などを印刷する（図２）。
そして剥離紙３から剥がしたラベル２をデータ記録ディスク６に貼着する（図３のａ）。
この状態で、センターホールはラベルによって塞がれ、センターホール部分を含む総てのエリアが印刷面として活用される（図３のｂ）。
従って、センターホール部分に対応した丸穴部分４を抜き外さなければ、ミシン目はそれほど目立たないので、ラベル２に印刷された写真はほぼ完全な状態に保たれ、例えば架台７を利用して机の上などに立て掛ける等、インテリアとして好適利用できる（図４）。
記録されているデータを読み出すに際し、そのままプレーヤにセットすると支障がある場合は、ミシン目を利用してセンターホールに対応する丸穴部分４を抜き外して丸穴８を形成し、従前のデータ記録ディスクと同様の形態にしてから、ディスクプレーヤ９にセットする。
【００１１】
このように形成されたラベル及びそのようなラベルが貼着されたデータ記録ディスクは、ディスクの全面を印刷エリアとして利用できるので、より多くの文字情報を表示できるし、写真であれば、穴抜きがないので、価値感が損なわれることがない。
丸穴部分を抜き外してしまうとその部分の表示機能は失われてしまうが、抜き外した丸穴部分を嵌め込んで裏側にセロハンテープなどを貼り付けるなど、修復は容易である。
【００１２】
このようにして修復されたデータ記録ディスクは、再度ディスクプレーヤにセットすると、セロファンテープの伸縮性により、丸孔部分との境目が伸び、丸孔を抜き外す必要がなくなる。
この原理を取り入れることによって、前記データ記録ディスク用ラベルは、図６に示すように、剥離紙から剥がす前に、透明な伸縮性テープ１０をラベル２の印刷面上に貼り付けて繋ぎ止めしておくことで、丸孔部分を抜き外さなくても済む。
又、伸縮性テープ１０は、印刷面に貼り合わせるばかりでなく、図７に示すように、剥離紙との密着面に予め貼り合わせておくこともできる。
この場合は透明でなくてもかまわないし、繋ぎ止め可能であれば大きさにも制限はない。
【００１３】
前記実施例は丸穴を利用した構成であるが、ディスクのセンターホール中心点に対応する部位を起点として放射方向へ少なくとも三本以上の切り込みを設けることで、プレーヤにセットできるようもできる。
【００１４】
図６はその変更例を示したもので、ラベル２の中心に、４本の切り込み１１を十文字になるよう形成したものである。
このようにすれば、センターホールが塞がれていても、プレーヤにセットすればプレーヤの回転軸に押されて切り込み１１が開くため、回転軸はラベルに邪魔されることなく確実に嵌め込まれる。
又このように切り込みを利用した構成においても、図９に示すように、切り込み１１が形成されている部分の裏面に予め伸縮性テープ１０を貼り合わせて繋ぎ止めしておいたり、印刷後、印刷面に伸縮性テープを貼り合わせることもできる。
伸縮性テープを貼り合わせることで、丸孔部分が抜け落ちたり切り込みが開いたままになってしまうことなく、ラベルの変形は最小限に抑えられる。
【００１５】
尚、切り込みは十文字に交差している必要はなく、ディスクのセンターホール中心点に対応する部位を起点として放射方向へ少なくとも三本以上形成されていれば十分であって、図７の（ａ）、（ｂ）に示すように、３本の切り込み１１ａ、或いは５本の切り込み１１ｂを形成してもかまわない。
又、抜き外し可能とするセンターホールに相当する部分は、センターホールと一致するような丸穴にする必要はなく、図７の（ｃ）に示すように、点線で示すセンターホールより若干大き目の多角形穴を、ミシン目５により抜き外し可能に形成することもできる。
そして前記いずれの実施例においても、ラベルの形状はカードタイプや、その他の異形ディスクに対応する総ての形状が適用され、特に名刺サイズのカードタイプでは、図８に示すように、本発明のデータ記録ディスク１２が印刷できる情報量は従来のデータ記録ディスク１３に比べて倍近くになるし、見易さも格段に優れる。
【００１６】
【発明の効果】
本発明によれば、ラベルに弾力性のある特殊な用紙を採用しなくてもセンターホールを含むディスクの全面が表示エリアとして利用可能であり、プレーヤにセットする場合に支障を来すことはない。
そしてセンターホールに対応する部分を抜き外すようにすれば、一旦抜き外しても修復が容易であり、センターホールの中心点に対応する部位を起点として放射方向へ少なくとも三本以上の切り込みを設ければ、抜き外し操作は不要になる。
又、伸縮性テープを印刷面或いはその印刷面の裏側に貼り付けることにより、丸孔部分や切り込みを繋ぎ止めすれば、変形は最小限に抑えられる。
【図面の簡単な説明】
【図１】本発明に係るラベルのプリンタ用印刷用紙の説明図である。
【図２】ラベルの印刷例を示した説明図である。
【図３】ラベルの貼着例を示した説明図である。
【図４】架台を利用して立て掛けた状態を示した説明図である。
【図５】丸穴部を抜き外してプレーヤにセットする説明図である。
【図６】変更実施例の説明図である。
【図７】変更実施例の説明図である。
【図８】変更実施例の説明図である。
【図９】変更実施例の説明図である。
【図１０】切り込み及び抜き外し穴の変更例を示した説明図である。
【図１１】名刺サイズのカードタイプに適用した場合、従来と本発明との比較説明図である。
【符号の説明】
１・・印刷用紙、２・・ラベル、３・・剥離紙、４・・丸穴部分、５・・ミシン目、６・・データ記録ディスク、７・・架台、８・・丸穴、９・・プレーヤ、１０・・伸縮性テープ、１１，１１ａ、１１ｂ・・切り込み、１２・・本発明のデータ記録ディスク、１３・・従来のデータ記録ディスク。
【図１】
2004022160.tif 000003
【図２】
2004022160.tif 000004
【図３】
2004022160.tif 000005
【図４】
2004022160.tif 000006
【図５】
2004022160.tif 000007
【図６】
2004022160.tif 000008
【図７】
2004022160.tif 000009
【図８】
2004022160.tif 000010
【図９】
2004022160.tif 000011
【図１０】
2004022160.tif 000012
【図１１】
2004022160.tif 000013